(57)【要約】【課題】磁気記録媒体のプリフォーマット記録に関する新規技術であるマスター情報担体を用いたプリフォーマット記録において、再生波形の出力低下に起因する再生信号検出エラーを防止すること。【解決手段】面内磁気記録媒体上に記録される磁化情報において互いに隣接する一対の磁化遷移領域間長さに対応するマスター情報担体上の強磁性薄膜の長さを、面内磁気記録媒体上のトラック幅方向において、前記面内磁気記録媒体への記録信号として所望される磁化遷移領域間長さよりも大きくすることにより、再生波形の出力低下を起こさない面内磁気記録媒体を製造することができる。【選択図】図１
2006085854.tif 000002
【特許請求の範囲】
【請求項１】
基体表面に堆積された強磁性薄膜の配列による形状パターンを有するマスター情報担体表面を面内磁気記録媒体表面に密接して磁界を印加することによって前記強磁性薄膜配列に対応する情報信号を磁化情報として前記面内磁気記録媒体上に記録する面内磁気記録媒体の製造方法であって、
前記面内磁気記録媒体上に記録される磁化情報において互いに隣接する一対の磁化遷移領域間長さに対応する前記マスター情報担体上の強磁性薄膜の長さを、前記面内磁気記録媒体上のトラック幅方向において、前記面内磁気記録媒体への記録信号として所望される磁化遷移領域間長さよりも大きくしたことを特徴とする面内磁気記録媒体の製造方法。
【請求項２】
前記マスター情報担体上の強磁性薄膜の長さを、
前記面内磁気記録媒体上のビット長方向において、前記面内磁気記録媒体への記録信号として所望される磁化遷移領域間長さよりも大きくしたことを特徴とする
請求項１に記載の面内磁気記録媒体の製造方法。
【請求項３】
基体表面に堆積された強磁性薄膜の配列による形状パターンを有するマスター情報担体表面を面内磁気記録媒体表面に密接して磁界を印加することによって前記強磁性薄膜配列に対応する情報信号を磁化情報として前記面内磁気記録媒体上に記録する面内磁気記録媒体の製造方法であって、
前記面内磁気記録媒体上に記録される磁化情報において互いに隣接する一対の磁化遷移領域間長さに対応する前記マスター情報担体上での一対の強磁性薄膜間の長さを、前記面内磁気記録媒体のトラック幅方向において、前記面内磁気記録媒体への記録信号として所望される磁化遷移領域間長さよりも小さくしたことを特徴とする面内磁気記録媒体の製造方法。
【請求項４】
前記マスター情報担体上での一対の強磁性薄膜間の長さを、
前記面内磁気記録媒体のビット長方向において、前記面内磁気記録媒体への記録信号として所望される磁化遷移領域間長さよりも小さくしたことを特徴とする
請求項３に記載の面内磁気記録媒体の製造方法。
【請求項５】
マスター情報担体表面を面内磁気記録媒体表面に密接して磁界を印加することに先だって、面内磁気記録媒体を一様にかつ前記磁界とは逆極性に直流消去しておくことを特徴とする
請求項１乃至４に記載の面内磁気記録媒体の製造方法。
【請求項６】
薄膜磁気ヘッドと、
基体表面に堆積された強磁性薄膜の配列による形状パターンを有するマスター情報担体を面内磁気記録媒体表面に密接して磁界を印加することによって前記強磁性薄膜配列に対応する情報信号を磁化情報として前記面内磁気記録媒体上に記録する際の前記磁化情報において、互いに隣接する一対の磁化遷移領域間長さに対応する前記マスター情報担体上の強磁性薄膜の長さを、前記面内磁気記録媒体のトラック幅方向において、前記面内磁気記録媒体への記録信号として所望される磁化遷移領域間長さよりも大きくすることにより、前記磁化情報が記録された前記磁気記録媒体と、
前記薄膜磁気ヘッドが前記磁気記録媒体と対向するように支持する支持部材と、
前記磁気記録媒体を回転する手段と、
前記支持部材に結合され、前記薄膜磁気ヘッドを前記磁気記録媒体の膜面に沿って移動させる手段と、
前記薄膜磁気ヘッド、前記回転手段及び前記移動手段と電気的に結合され、前記薄膜磁気ヘッドと信号を交換し、前記磁気記録媒体の回転を制御し、前記薄膜磁気ヘッドの移動を制御する処理手段とを有することを特徴とする磁気記録再生装置。
【請求項７】
前記マスター情報担体上の強磁性薄膜の長さを、
前記面内磁気記録媒体上のビット長方向において、前記面内磁気記録媒体への記録信号として所望される磁化遷移領域間長さよりも大きくしたことを特徴とする
請求項６に記載の磁気記録再生装置。
【請求項８】
薄膜磁気ヘッドと、
基体表面に堆積された強磁性薄膜の配列による形状パターンを有するマスター情報担体を面内磁気記録媒体表面に密接して磁界を印加することによって前記強磁性薄膜配列に対応する情報信号を磁化情報として前記面内磁気記録媒体上に記録する際の前記磁化情報において、互いに隣接する一対の磁化遷移領域間長さに対応する前記マスター情報担体上での一対の強磁性薄膜間の長さを、前記面内磁気記録媒体のトラック幅方向において、前記面内磁気記録媒体への記録信号として所望される磁化遷移領域間長さよりも小さくすることにより、前記磁化情報が記録された前記磁気記録媒体と、
前記薄膜磁気ヘッドが前記磁気記録媒体と対向するように支持する支持部材と、
前記磁気記録媒体を回転する手段と、
前記支持部材に結合され、前記薄膜磁気ヘッドを前記磁気記録媒体の膜面に沿って移動させる手段と、
前記薄膜磁気ヘッド、前記回転手段及び前記移動手段と電気的に結合され、前記薄膜磁気ヘッドと信号を交換し、前記磁気記録媒体の回転を制御し、前記薄膜磁気ヘッドの移動を制御する処理手段とを有することを特徴とする磁気記録再生装置。
【請求項９】
前記マスター情報担体上での一対の強磁性薄膜間の長さを、
前記面内磁気記録媒体のビット長方向において、前記面内磁気記録媒体への記録信号として所望される磁化遷移領域間長さよりも小さくしたことを特徴とする
請求項８に記載の磁気記録再生装置。
【請求項１０】
前記情報信号がトラッキングサーボに用いるための信号であることを特徴とする請求項６乃至９に記載の磁気記録再生装置。
【発明の詳細な説明】
【技術分野】
【０００１】
本発明は、特定の情報に対応した形状パターンを有するマスター情報担体を用い、その情報信号を磁気記録媒体に静的一括面記録する磁気記録方法並びに磁気記録再生装置に関するものである。
【背景技術】
【０００２】
現在、磁気記録再生装置は、小型でかつ大容量を実現するために、高記録密度化の傾向にある。代表的な磁気記憶装置であるハードディスクドライブの分野においては、すでに面記録密度６０Ｇｂｉｔ／ｉｎ2（９３Ｍｂｉｔ／ｍｍ２）を超える装置が商品化されており、さらには１００Ｇｂｉｔ／ｉｎ2（１５５Ｍｂｉｔ／ｍｍ２）の装置の実用化が議論されるほどの急激な技術進歩が認められる。
【０００３】
このような高記録密度化を可能とした技術的背景として、磁気記録媒体およびヘッド・ディスクインターフェース性能の向上やパーシャルレスポンス等の新規な信号処理方式の出現による線記録密度の向上が挙げられる。
【０００４】
ここで、パーシャルレスポンスとは、線記録密度が高くなった時に、符号間干渉を回避するために行う波形等化の際に、既知の符号間干渉を意図的に与える方式であって、従来のピーク検出や積分検出に比べてＳ／Ｎの悪化を防止出来る、という特徴を有する。
【０００５】
しかし、このような信号処理方式の出現に加え、近年では、トラック密度の増加傾向が線記録密度の増加傾向を大きく上回り、面記録密度向上のための主たる要因となっている。これは、従来の誘導型磁気ヘッドに比べてはるかに再生出力性能に優れた磁気抵抗素子型ヘッドの実用化による寄与である。現在、磁気抵抗素子型ヘッドの性能向上により、1μm以下のトラック幅信号をＳ/Ｎ良く再生することが可能となっている。
【０００６】
さて、磁気ヘッドがこのような狭トラックを正確に走査し、信号をＳ/Ｎ良く再生するためには、磁気ヘッドのトラッキングサーボ技術が重要な役割を果たしている。このようなトラッキングサーボ技術に関しては、現在のハードディスクドライブでは、ディスクの１周、すなわち角度にして360度中において、一定の角度間隔でトラッキング用サーボ信号やアドレス情報信号、再生クロック信号等が予め記録された領域を設けている（以下、プリフォーマットと称する）。磁気ヘッドは、一定間隔でこれらの信号を再生することにより、ヘッドの位置を確認、修正しながら正確にトラック上を走査することができるのである。
【０００７】
既述のトラッキング用サーボ信号やアドレス情報信号、再生クロック信号等は、磁気ヘッドが正確にトラック上を走査するための基準信号となるものであるので、その記録時には、正確な位置決め精度が要求される。現在のハードディスクドライブでは、ディスクをドライブに組み込んだ後、専用のサーボ記録装置を用いて厳密に位置制御された磁気ヘッドによりプリフォーマット記録が行われている。
【０００８】
上記のような専用のサーボ記録装置を用いた磁気ヘッドによるサーボ信号やアドレス情報信号、再生クロック信号等のプリフォーマット記録においては、以下のような課題があった。
【０００９】
まず第１に、磁気ヘッドによる記録は、基本的にヘッドと媒体との相対移動に基づく線記録である。このため、専用のサーボ記録装置を用いて磁気ヘッドを厳密に位置制御しながら記録を行う上記の方法では、プリフォーマット記録に多くの時間を要するとともに、専用のサーボ記録装置が相当に高価であることにも起因して、非常にコスト高となる。
【００１０】
第２に、ヘッド・媒体間スペーシングや記録ヘッドのポール形状による記録磁界の広がりのため、プリフォーマット記録されたトラック端部の磁化遷移が急峻性に欠けるという点がある。現在のトラッキングサーボ技術は、ヘッドがトラックを外れて走査した際の再生出力の変化量によって、ヘッドの位置検出を行うものである。従って、プリフォーマット記録された信号トラックには、サーボ領域間に記録されたデータ情報信号を再生する際のようにヘッドがトラック上を正確に走査した際のＳ/Ｎに優れるだけではなく、ヘッドがトラックを外れて走査した際の再生出力変化量、すなわちオフトラック特性が急峻であることが要求される。上記の課題はこの要求に反するものであり、今後のサブμｍトラック記録における正確なトラッキングサーボ技術の実現を困難なものとしている。
【００１１】
さて、上記のような磁気ヘッドによるプリフォーマット記録の課題を解決する手段として、基体の表面に情報信号に対応する強磁性薄膜パターンが形成されたマスター情報担体表面を磁気記録媒体の表面に接触させ、磁界を印加することにより、マスター情報担体表面の強磁性薄膜パターンに対応する磁化反転パターンを磁気記録媒体に一括面転写記録することを主旨とするプリフォーマット技術が特許文献１に提案されている。
【００１２】
同特許文献１に開示された構成においては、一方向に磁化されたマスター情報担体表面の強磁性薄膜より発生する記録磁界により、磁気記録媒体にはマスター情報担体の強磁性薄膜パターンに対応した磁化反転パターンが転写記録される。すなわち、マスター情報担体表面に、トラッキング用サーボ信号やアドレス情報信号、再生クロック信号等に対応する強磁性薄膜パターンをフォトリソグラフィ技術などによって形成することにより、磁気記録媒体上にはこれらに対応する情報信号をプリフォーマット記録することができる。
【００１３】
従来の磁気ヘッドによる記録が、基本的にヘッドと媒体との相対移動に基づく動的線記録であるのに対し、上記構成の特徴は、マスター情報担体と媒体との相対移動を伴わない静的な面記録であるということである。このような特徴により、特許文献１に開示された技術は、既述のプリフォーマット記録に関わる課題に対して、下記のような極めて有効な効果を発揮することができる。
【００１４】
第１に、面記録であるため、プリフォーマット記録に要する時間は、従来の磁気ヘッドによる記録方法に比べて、非常に短い。また、磁気ヘッドを厳密に位置制御しながら記録を行うための高価なサーボ記録装置も不要である。従って、プリフォーマット記録に関わる生産性を大幅に向上できるとともに、生産コストに関しても低減することができる。
【００１５】
第２に、マスター情報担体と媒体との相対移動を伴わない静的記録であるため、マスター情報担体表面と磁気記録媒体表面を密着させることにより、記録時の両者間のスペーシングを最小限にすることができる。さらに、磁気ヘッドによる記録のように、記録ヘッドのポール形状による記録磁界の広がりを生じることもない。このため、プリフォーマット記録されたトラック端部の磁化遷移は、従来の磁気ヘッドによる記録に比べて、優れた急峻性を有し、より正確なトラッキングが可能となる。
【００１６】
ここで、特許文献１に開示されたマスター情報担体表面の一構成例を図４に示す。図４は、例えば磁気ディスク媒体の周方向において一定角度毎に設けられるプリフォーマット領域に記録されるマスター情報パターンを、ディスク媒体上のトラック幅方向（すなわち記録トラック幅方向）に10トラック分のみ示したものである。なお参考のため、マスター情報パターンがディスク媒体に記録された後、ディスク媒体上でデータ領域となるトラック部分を破線により示した。実際のマスター情報担体表面は、マスター情報が記録される磁気ディスク媒体の記録領域に対応して、ディスクの周方向において一定角度毎に、かつディスク媒体のトラック幅方向には全記録トラック分、図４のようなマスター情報パターンが形成されて構成されている。
【００１７】
マスター情報パターンは、例えば図４に示されるように、クロック信号、トラッキング用サーボ信号、アドレス情報信号等の各々の領域がトラック長さ方向に順次配列して構成される。このマスター情報パターンは、情報信号に対応する強磁性薄膜３の配列により形成されている。例えば図４においては、ハッチングを施した部分が強磁性薄膜３により構成される部分である。なお、図４においては強磁性薄膜３の平面形状はすべて長方形としているが、実際にはこれに限られたものではなく、用途に応じて様々な形状をとることが可能である。
【００１８】
図５、図６には、図４に示した一点鎖線ＬＬ’におけるマスター情報担体の断面の構成例を示す。なお、一点鎖線ＬＬ’は磁気ディスク媒体の周方向に対応しており、紙面横方向が、磁気ディスク媒体に記録された信号を磁気ヘッドによって再生した際の信号の時間軸方向にも一致する。マスター情報担体は、図５に示すように非磁性基体１０の表層部に強磁性薄膜３よりなるパターン形状が埋め込まれて配列された構成でも良いし、あるいは図６に示すように非磁性基体１０表面上に強磁性薄膜３よりなるパターン形状が凸状に配列された構成でも良いが、マスター情報担体の耐久性、あるいは長寿命化の観点からは図５の構成がより優れている。
【００１９】
上記特許文献１に開示されたプリフォーマット技術では、マスター情報担体表面の強磁性薄膜パターンが磁気ディスク媒体に記録される磁化パターンに対応する。従って、例えば図５および図６に例示したマスター情報担体表面には、個々の強磁性薄膜パターンの長さＡ、あるいは個々の強磁性薄膜パターン間の距離Ｂを、磁気ディスク媒体に記録される磁化パターンにおいて所望される信号長さ、すなわち磁化パターンにおいて互いに隣接する一対の磁化遷移領域間の長さに対応させて強磁性薄膜パターンを配列させれば良い。
【００２０】
しかしながら、磁気ディスク媒体上に記録された磁化パターンにおける磁化遷移領域間の長さは、実際には個々の強磁性薄膜パターン長さＡ、個々の強磁性薄膜パターン間距離Ｂに正確に一致するわけではない。このため、強磁性薄膜パターン長さＡ、あるいは強磁性薄膜パターン間距離Ｂを、磁気記録媒体上において所望される磁化遷移領域間長さに正確に一致させた場合には、実際に記録された磁気ディスク媒体上の磁化遷移領域間長さが、所望される長さと異なってしまう。
【００２１】
結果的に、記録された磁化パターンを磁気ヘッドによって再生した際の再生波形において、再生パルス位置が所望のパルス位置から一定時間分シフトしてしまうことになる。
【００２２】
この場合、上記の再生パルスシフト量が、再生信号処理回路の検出窓幅に比して十分に小さい場合には問題とならない。しかしながら検出窓幅の許容限度を超えた場合には、再生信号処理回路は再生パルスを検出できず、再生信号エラーを生じることになる。
【００２３】
そこで、上記のような再生パルスシフトの課題を解決する手段として、特許文献２において開示されたマスター情報担体は、面内磁気記録媒体上に記録される磁化情報において互いに隣接する一対の磁化遷移領域間長さに対応するマスター情報担体上の特定の強磁性薄膜の長さを、面内磁気記録媒体への記録信号として所望される磁化遷移領域間長さよりも大きくする、あるいは、面内磁気記録媒体上に記録される磁化情報において互いに隣接する一対の磁化遷移領域間長さに対応するマスター情報担体上での一対の強磁性薄膜間の長さを、面内磁気記録媒体への記録信号として所望される磁化遷移領域間長さよりも小さくするよう構成されている。上記特許文献２に開示されたマスター情報担体を用い、前述の特許文献１に開示されたプリフォーマット技術を用いることにより、磁気記録媒体に記録される磁化パターンにおいて、より所望の設計値に近い磁化遷移領域間長さを実現し、これによって再生信号エラーを生じない構成を提供することが可能となる。
【特許文献１】特開平１０−４０５４４号公報
【特許文献２】特開２００１−２８３４３３号公報
【発明の開示】
【発明が解決しようとする課題】
【００２４】
上記特許文献２に開示されたマスター情報担体は、再生パルスシフトの課題を解決するため、面内磁気記録媒体上に記録される磁化情報において互いに隣接する一対の磁化遷移領域間長さに対応するマスター情報担体上の強磁性薄膜の磁気記録媒体上の磁気ヘッド進行方向（ビット長方向）における長さを、面内磁気記録媒体への記録信号として所望される磁化遷移領域間長さよりも大きくする、あるいは、面内磁気記録媒体上に記録される磁化情報において互いに隣接する一対の磁化遷移領域間長さに対応するマスター情報担体上での一対の強磁性薄膜間の磁気記録媒体上の磁気ヘッド進行方向（ビット長方向）における長さを、面内磁気記録媒体への記録信号として所望される磁化遷移領域間長さよりも小さくするよう構成されている。
【００２５】
図７に、従来のマスター情報担体表面の強磁性薄膜パターンと磁気記録媒体上に記録される信号の磁化パターンとの関係を示す模式的な平面図を示す。図７（ａ）は磁気記録媒体上に記録されるべき所望の磁化パターンを示す。図７（ｂ）は特許文献１の構成により形成された強磁性薄膜３と、磁気記録媒体上に記録される磁化パターン５を示す。図７（ｃ）は特許文献２の構成により形成された強磁性薄膜３と、磁気記録媒体上に記録される磁化パターン５を示す。
【００２６】
本願発明者らの検討によれば、上記特許文献１、２のどちらの構成でも、磁気記録媒体上に記録される磁化パターンにおける磁気記録媒体上のトラック幅方向の磁化遷移領域間の長さが、所望される長さと異なってしまう。このため、例えば図８に例示したトラッキング用サーボ信号のように磁気ディスク媒体径方向に断続的なパターンを記録するために、必要とされるトラッキングサーボパターンと磁気ディスク媒体径方向において同一寸法の強磁性薄膜パターンを有するマスター情報担体を用いて磁気ディスク媒体上に記録した場合、記録された磁化パターンは、図７（ｃ）に示すように磁気ディスク媒体径方向の寸法が所望の寸法Ｂよりも小さくなってしまう。その結果、磁気ヘッドによって再生した際の再生出力の減少や、その信号を元にしたトラック位置決め精度の悪化という課題を有していた。
【００２７】
本発明は、前記従来の課題を解決するもので、前述の特許文献１に開示されたプリフォーマット技術を用いて磁気記録媒体に記録される磁化パターンにおいて、より所望の設計値に近い磁気記録媒体上のトラック幅方向の磁化遷移領域間長さを実現し、再生出力の低下を生じない構成を提供することを目的とする。
【課題を解決するための手段】
【００２８】
前記従来の課題を解決するために、本発明の第１の構成は、基体表面に堆積された強磁性薄膜の配列による形状パターンを有するマスター情報担体表面を面内磁気記録媒体表面に密接して磁界を印加することによって前記強磁性薄膜配列に対応する情報信号を磁化情報として前記面内磁気記録媒体上に記録する面内磁気記録媒体の製造方法であって、前記面内磁気記録媒体上に記録される磁化情報において互いに隣接する一対の磁化遷移領域間長さに対応する前記マスター情報担体上の強磁性薄膜の長さを、前記面内磁気記録媒体上のトラック幅方向において、前記面内磁気記録媒体への記録信号として所望される磁化遷移領域間長さよりも大きくしたことを特徴とする。
【００２９】
本構成によって、所望の設計値に近い磁気記録媒体トラック幅方向の磁化遷移領域間長さを実現することができる。
【００３０】
また、本発明の第２の構成は、基体表面に堆積された強磁性薄膜の配列による形状パターンを有するマスター情報担体表面を面内磁気記録媒体表面に密接して磁界を印加することによって前記強磁性薄膜配列に対応する情報信号を磁化情報として前記面内磁気記録媒体上に記録する面内磁気記録媒体の製造方法であって、前記面内磁気記録媒体上に記録される磁化情報において互いに隣接する一対の磁化遷移領域間長さに対応する前記マスター情報担体上での一対の強磁性薄膜間の長さを、前記面内磁気記録媒体上のトラック幅方向において、前記面内磁気記録媒体への記録信号として所望される磁化遷移領域間長さよりも小さくしたことを特徴とする。
【００３１】
本構成によって、所望の設計値に近い磁気記録媒体トラック幅方向の磁化遷移領域間長さを実現することができる。
【発明の効果】
【００３２】
本発明によれば、マスター情報担体を用いて磁気記録媒体にトラッキング用サーボ信号やアドレス情報信号、再生クロック信号等のプリフォーマット信号を静的一括面記録する磁気記録方法において、マスター情報担体上の強磁性薄膜パターンの寸法を修正することで、より設計値に近い所望の磁化パターンを磁気記録媒体に記録することが可能となり、これによって再生信号出力低下を生じない磁気記録媒体を提供することができる。
【発明を実施するための最良の形態】
【００３３】
以下本発明の実施の形態について、図面を参照しながら説明する。
【００３４】
まず、本願発明の磁気記録方法の概要を、図９を参照して説明する。図９は面内磁気ディスク媒体２の周方向における断面図を示したものであって、紙面横方向が、面内磁気ディスク媒体２に記録される磁化パターンを磁気ヘッドを用いて再生した際の時間軸方向にも一致する。まず、図９(a)に示すように、情報信号が記録される面内磁気ディスク媒体２を準備する。次に、図９(b)に示すように、面内磁気ディスク媒体２の表面に図６乃至７に図示したようなマスター情報担体の、強磁性薄膜が形成された側の面を密接し、磁界９を印加する。
【００３５】
なお、図９は、図５に示した構成のマスター情報担体を用いた場合の構成例を示しているが、図６に示した構成のマスター情報担体を用いても構わない。
【００３６】
磁界９の印加によってマスター情報担体表面には、強磁性薄膜３の形状パターンに対応した漏れ磁束１２を発生し、これによって面内磁気ディスク媒体２には、強磁性薄膜３の形状パターンに対応した磁化バターンが図９(c)に示すように記録される。
【００３７】
図９(c)では、強磁性薄膜３の表面部分に対応する未記録領域と、漏れ磁束１２によって磁化４が記録された領域とが、磁化遷移領域６を介して交互に配列した磁化パターンとなっている。マスター情報担体を用いた記録に先立って、面内磁気ディスク媒体２が、交流消去あるいは熱磁気消去などによって、あらかじめ中性点に消去されている場合には、図９(c)に示すような磁化パターンが記録されることになる。
【００３８】
これに対して、図１０(a)に示すように、面内磁気ディスク媒体２とマスター情報担体表面を密接するに先立って、面内磁気ディスク媒体を一様に直流消去して、初期磁化１３を与えておくことによって、図１０(c)に示すように、初期磁化１３の残留による磁化と漏れ磁束１２によって記録された磁化とが、磁化遷移領域６を介して交互に配列した磁化パターンを記録することが可能である。この際、初期磁化１３の極性は、印加磁界１１の極性と逆極性とする。面内磁気ディスク媒体に記録された磁化パターンを磁気ヘッドを用いて再生する際、図１０に示す構成では、図９に示す構成に比べて、約２倍の再生信号振幅を得ることができる。
【００３９】
（実施の形態１）
図１は、本発明の実施の形態１における磁気記録媒体の製造方法を示した図であり、マスター情報担体１を用いて面内磁気ディスク媒体２にプリフォーマット記録する際における、強磁性薄膜パターンおよび記録された磁化パターンの関係を模式的に示したものである。図１（ａ）はマスター情報担体１の表面に配列された強磁性薄膜パターンであり、紙面横方向が、面内磁気ディスク媒体の径方向に一致する。図１（ｂ）は図１（ａ）に示した一点鎖線ＭＭ’におけるマスター情報担体の断面の構成例を示す。なお、一点鎖線ＭＭ’は磁気ディスク媒体の径方向に対応しており、紙面縦方向が、面内磁気ディスク媒体２に記録される磁化パターンを磁気ヘッドを用いて再生した際の時間軸方向にも一致する。
【００４０】
図２は、本発明の実施の形態１における磁気記録媒体の製造方法を示した図であり、マスター情報担体１を用いて面内磁気ディスク媒体２にプリフォーマット記録する際における、強磁性薄膜パターン、記録された磁化パターン、および磁化パターンの磁気ヘッドによる再生波形の関係を模式的に示したものである。図２（ａ）はマスター情報担体１の表面に配列された強磁性薄膜パターンであり、紙面縦方向が、面内磁気ディスク媒体の径方向に一致する。図２（ｂ）は図２（ａ）に示した一点鎖線ＮＮ’におけるマスター情報担体の断面の構成例を示す。なお、一点鎖線ＮＮ’は磁気ディスク媒体周方向に対応しており、紙面横方向が、面内磁気ディスク媒体２に記録される磁化パターンを磁気ヘッドを用いて再生した際の時間軸方向にも一致する。
【００４１】
比較例として、プリフォーマット技術を用いた従来の磁気記録方法における構成例を、図２に対応させて図３に示した。なお、図１乃至図３には、図１０に図示したように面内磁気ディスク媒体２にあらかじめ初期磁化１３を与えた構成を示している。
【００４２】
図３の従来例においては、強磁性薄膜パターンのディスク径方向の長さを、面内磁気ディスク媒体２上において所望される磁化遷移領域間長さに正確に一致させる構成としている。
【００４３】
ここで、本願発明者らの検討によれば、図３の構成において面内磁気ディスク媒体２にプリフォーマット記録する際、実際に記録された磁化パターンにおける磁化遷移領域７は強磁性薄膜３の端部に位置するのではなく、強磁性薄膜３の端部より若干内側にシフトして位置することが分かった。このため、強磁性薄膜パターン長さに対応する部分における実際の磁化遷移領域間長さは、面内磁気ディスク媒体２上において所望される値に比べて短くなり、逆に強磁性薄膜パターン間距離に対応する部分における実際の磁化遷移領域間長さは、面内磁気ディスク媒体２上において所望される値に比べて長くなる。
【００４４】
従って、記録された磁化パターンを磁気ヘッドによって再生すると、実際の再生波形８と所望の再生波形９との間には図示したように、出力の差を生じることになる。この出力低下量が、再生信号処理回路の検出許容限度を超えた場合には、再生信号処理回路は再生パルスを検出できず、再生信号エラーを生じることになる。
【００４５】
これに対して、図１に示した本願発明の構成では、面内磁気ディスク媒体２上に記録された磁化パターンにおいて所望される径方向の磁化遷移領域間長さ４を得るよう、磁化遷移領域７の強磁性薄膜３の端部からのシフト量を考慮して、マスター情報担体１上の強磁性薄膜パターン長さおよび強磁性薄膜パターン間距離を予め補正している。
【００４６】
すなわち、強磁性薄膜パターン長さを、面内磁気ディスク媒体２上において所望される磁化遷移領域間長さよりも適切な補正量だけ大きく、逆に強磁性薄膜パターン間距離を、面内磁気ディスク媒体２上において所望される磁化遷移領域間長さｂりも適切な補正量だけ小さくすることにより、面内磁気ディスク媒体２上に記録された磁化反転パターンにおいて所望される磁化遷移領域間長さ４を得ることができ、図２に示すように所望の再生波形８を得ることができる。
【００４７】
図１の構成において、ディスク径方向の適切な補正量は、強磁性薄膜３の磁気特性や膜厚、所望の磁化遷移領域間長さ４、さらには面内磁気ディスク媒体２の磁気特性などによって異なるため、各々の実施の形態例に応じて実験経験的に見積もることが必要である。
【００４８】
本実施例において、マスター情報担体１上の強磁性薄膜３として飽和磁束密度1.6TのCo膜を用い、強磁性薄膜の膜厚が0.2μmから1.0μm、所望の磁化遷移領域間長さが0.5μmから5.0μm、面内磁気ディスク媒体２の保磁力が150kA/mから300kA/mの範囲において検討を行った結果によれば、径方向の補正量は、０．０５μｍから０．１μｍの範囲とすることが適当である。
【００４９】
この補正量によって磁気ヘッドによる再生波形における出力低下量を再生信号処理回路の検出窓幅の許容限度以下におさえることができた。
【００５０】
マスター情報担体表面の強磁性薄膜パターンは、様々な公知のリソグラフィ技術を用いて製造することができる。ところで、図１の構成では、強磁性薄膜３の断面形状が、ほぼ長方形であるような構成例を示したが、このようなリソグラフィ技術の特徴によっては、必ずしも図１に示したような長方形状の断面形状を実現する必要はない。
【００５１】
（実施の形態２）
図１１は、本発明の実施の形態２における磁気記録再生装置を説明するための概要説明図である。
【００５２】
図１１に示すように、本発明のマスター情報信号の磁気記録媒体への記録方法によってプリフォーマット記録された面内磁気ディスク媒体２がスピンドル１４上に少なくとも一枚支持され、スピンドルモータ１５によって回転する。また、薄膜磁気ヘッド１６がサスペンション１７を介してアクチュエータアーム１７に取り付けられ、さらに、アクチュエータアーム１８はアクチュエータ１９に取り付けられる。
【００５３】
このため、薄膜磁気ヘッド１６はアクチュエータ４７が動作することによって移動できる。薄膜磁気ヘッド４４は磁気ディスク媒体４１面に対向して配置され、磁気ディスク媒体４１の回転、及び薄膜磁気ヘッド４４の磁気ディスク媒体４１の半径方向の移動によって、磁気ディスク媒体４１のほぼ全面に対して信号の読み書きが可能となる。
【００５４】
磁気ディスク媒体４１の回転の制御、薄膜磁気ヘッド４４の位置制御及び記録再生信号の制御等は制御回路４８で行われる。
【００５５】
このような構成にすることにより、高記録密度化に伴い保磁力が大きくなった磁気記録媒体に対しても、生産性に優れ、かつプリフォーマット記録された信号品質の良好な磁気記録再生装置を実現することができる。つまり、本発明の磁気記録再生装置を用いることにより、今後の高記録密度化対応が比較的容易になる。
【産業上の利用可能性】
【００５６】
以上、本発明の実施の形態例について記述したが、本発明の構成は、様々な実施形態への応用が可能である。例えば本願明細書では、主にハードディスクドライブ等に搭載される磁気ディスク媒体に応用することに主眼をおいて記述を行ったが、本発明はこれに限られるものではなく、フレキシブル磁気ディスク、磁気カードおよび磁気テープ等の磁気記録媒体においても応用可能であり、上記と同様に発明の効果を得ることができる。
【００５７】
また、磁気記録媒体に記録される情報信号に関しては、トラッキング用サーボ信号やアドレス情報信号、再生クロック信号等のプリフォーマット信号に主眼をおいて記述を行ったが、本発明の構成が応用可能な情報信号も、上記に限られたものではない。例えば、本発明の構成を用いて様々なデータ信号やオーディオ、ビデオ信号の記録を行うことも原理的に可能である。この場合には、本発明のマスター情報担体を用いた磁気記録媒体への磁気記録方法によって、ソフトディスク媒体の大量複写生産を行うことができ、安価に提供することが可能である。
【図面の簡単な説明】
【００５８】
【図１】本発明の磁気記録方法に用いられるマスター情報担体の一構成例を示す模式的な平面図並びに断面図
【図２】本発明の磁気記録方法に用いられるマスター情報担体の一構成例と磁気ヘッドによる再生波形との関連を示す模式的な平面図並びに断面図
【図３】従来の磁気記録方法に用いられるマスター情報担体の一構成例と磁気ヘッドによる再生波形との関連を示す模式的な平面図並びに断面図
【図４】従来のマスター情報担体表面の一構成図
【図５】本発明の磁気記録方法に用いられるマスター情報担体の一構成例を示す断面図
【図６】本発明の磁気記録方法に用いられるマスター情報担体の一構成例を示す断面図
【図７】従来のマスター情報担体表面の強磁性薄膜パターンと磁気ディスク媒体上に記録される信号の磁化パターンとの関係を示す模式的な平面図
【図８】磁気ディスク媒体上に記録された信号の磁化パターンの構成図
【図９】本発明の磁気記録方法の一構成例を示す模式的な断面図
【図１０】本発明の磁気記録方法の一構成例を示す模式的な断面図
【図１１】本発明の実施の形態２における磁気記録再生装置の一構成例を示す断面図
【符号の説明】
【００５９】
１    マスター情報担体
２    面内磁気ディスク媒体
３    強磁性薄膜
４    所望される径方向の磁化遷移領域間長さ
５    記録される磁化パターン
６    磁化
７    磁化遷移領域
８    再生波形
９    所望の再生波形
１０    非磁性基体
１１    印加磁界
１２    漏れ磁束
１３    初期磁化
１４    スピンドル
１５    スピンドルモータ
１６    薄膜磁気ヘッド
１７    サスペンション
１８    アクチュエータアーム
１９    アクチュエータ
２０    制御回路
【図１】
2006085854.tif 000003
【図２】
2006085854.tif 000004
【図３】
2006085854.tif 000005
【図４】
2006085854.tif 000006
【図５】
2006085854.tif 000007
【図６】
2006085854.tif 000008
【図７】
2006085854.tif 000009
【図８】
2006085854.tif 000010
【図９】
2006085854.tif 000011
【図１０】
2006085854.tif 000012
【図１１】
2006085854.tif 000013